(57)【要約】【課題】使用者の頭部を心地よく支えることのできるヘッドレストを提供することである。【解決手段】ヘッドレスト１０の骨格となるステーフレーム組立体２０が、ヘッドレスト１０を座席に装着する下方に伸長する左右の脚部２３、２４を有する脚部フレーム２２、ヘッドレスト１０の上方の骨格となる頭部フレーム２１、及び頭部フレーム２１を脚部フレーム２２の上部に前後方向へ移動可能に連結するための、平行リンク４０を有する頭脚連結機構３０から構成され、頭部フレーム２１と頭脚連結機構３０を収容するインナーケース５０に頭部フレーム２１を固定し、座席に装着したヘッドレスト１０を前後方向にスライドできるようにした。【選択図】図１
2004283287.tif 000002
【特許請求の範囲】
【請求項１】
ヘッドレストであって、
（１）  当該ヘッドレストの骨格となるステーフレーム組立体であって、
当該ヘッドレストを座席に装着するための下方に伸長する左脚及び右脚と、前記左脚と前記右脚とを間隔をあけて固定した左右方向に長い脚部横ビームとを有するほぼ逆Ｕ字形の脚部フレーム、
前記脚部フレームの上方に位置する、左右に長い頭部横ビームを有する頭部フレーム、及び
前記脚部フレームに関して前記頭部フレームを前後方向に移動可能に、前記脚部フレームと前記頭部フレームとの間を連結するための頭脚連結機構、
から成り、
前記頭脚連結機構が、
前記頭部横ビームの左側と右側とにそれぞれ向き合うように固定した頭部側の左側ブラケット及び右側ブラケット、
前記脚部横ビームの左側と右側とにそれぞれ向き合うように固定した脚部側の左側ブラケット及び右側ブラケット、
前記頭部側の左側ブラケットと、前記脚部側の左側ブラケットとの間に形成される左側の平行リンク、及び
前記頭部側の右側ブラケットと、前記脚部側の右側ブラケットとの間に形成される右側の平行リンク、
から成り、
前記左側の平行リンクが、
一端が前記頭部側の左側ブラケットに枢動可能に取り付けられ、他端が前記脚部側の左側ブラケットに枢動可能に取り付けられる前側の左側リンク部材、及び前記前側の左側リンク部材と平行になるように、一端が前記頭部側の左側ブラケットの後側に枢動可能に取り付けられ、他端が前記脚部側の左側ブラケットの後側に枢動可能に取り付けられる後側の左側リンク部材、
から成り、
前記右側の平行リンクが、
一端が前記頭部側の右側ブラケットの前側に枢動可能に取り付けられ、他端が前記脚部側の右側ブラケットの前側に枢動可能に取り付けられる前側の右側リンク部材、及び
前記前側の右側リンク部材と平行になるように、一端が前記頭部側の右側ブラケットの後側に枢動可能に取り付けられ、他端が前記脚部側の右側ブラケットの後側に枢動可能に取り付けられる後側の右側リンク部材、
から成る、
ところのステーフレーム組立体、
（２）  前記頭部フレーム及び前記頭脚連結機構を収容するほぼ箱形の本体部、及び前記本体部の底面との間に隙間を残すように前記本体部の底面に結合され、前記本体部の内部に連通する前後方向に長いスロットを左右にそれぞれ形成したプレート部、から成るインナーケースであって、
前記脚部フレームの左脚及び右脚の各々が、前記スロットの各々を挿通して前記インナーケースの外部へ伸長する、
ところのインナーケース、
（３）  前記頭部側の左側ブラケット及び右側ブラケットのうちの少なくとも一方のブラケットを前記本体部に固定するための固定手段であって、
前記脚部フレームに関して前記頭部フレーム及び前記頭部側の左側及び右側ブラケットを前後方向に移動させると、前記インナーケースが、前記頭部フレーム及び前記頭部側の左側及び右側ブラケットと一体となって、前記脚部フレームに関して前後方向に移動する、
ところの固定手段、
（４）  中空の内部、及びこの中空の内部に連通する開口を有する、当該ヘッドレストの輪郭形状の表皮、及び
（５）  前記インナーケースの前記本体部を包み込むように前記表皮の内部で発泡原液を発泡させて、前記表皮と一体となるように成形したパッドであって、
前記インナーケースの前記本体部の底面と前記プレート部との間の隙間に挿着した前記表皮の開口の周縁部分が、前記パッドにより、前記隙間内に保持される、
ところのパッド、
から成るヘッドレスト。
【請求項２】
前記頭脚連結機構が、
前記後側の左側及び右側リンク部材の後方への移動を制限するために、前記脚部側の左側及び右側ブラケットのうちの少なくとも一方のブラケットの後側に設けられる後方移動制限手段、及び
前記前側の左側及び右側リンク部材の前方への移動を制限するために、前記脚部側の左側及び右側ブラケットのうちの少なくとも一方のブラケットの前側に設けられる前方移動制限手段、
からさらに成る、
ところの請求項１のヘッドレスト。
【請求項３】
前記後方移動制限手段が、前記脚部側の左側及び右側ブラケットのうちの少なくとも一方のブラケットの後側に形成した後側フランジであり、
前記前方移動制限手段が、前記脚部側の左側及び右側ブラケットのうちの少なくとも一方のブラケットの前側に形成した前側フランジである、
ところの請求項２のヘッドレスト。
【請求項４】
前記前側の左側及び右側リンク部材及び前記後側の左側及び右側リンク部材が、前記頭部側の左側及び右側ブラケットと前記脚部側の左側及び右側ブラケットのそれぞれに固定したナットに、断頭円錐状のウォッシャを介してボルト締めされ、これにより、前記前側の左側及び右側リンク部材及び前記後側の左側及び右側リンク部材が、前記頭部側の左側及び右側ブラケットと前記脚部側の左側及び右側ブラケットとに、それぞれ枢動可能に取り付けられる、ところの請求項１のヘッドレスト。
【請求項５】
前記頭脚連結機構が、
前記脚部フレームに関して前記頭部フレーム及び前記頭部側の左側及び右側ブラケットを前後方向に移動させたときに、前記頭部側の左側ブラケットの移動方向及び距離と、前記頭部側の右側ブラケットの移動方向及び距離とが一致するように、前記前側の左側及び右側リンク部材、及び前記後側の左側及び右側リンク部材のうち少なくとも一方の側の左側及び右側リンク部材同士を連結するためのリンク部材連結手段、
からさらに成る、
ところの請求項１のヘッドレスト。
【請求項６】
当該ヘッドレストがシースルー型のヘッドレストであり、前記インナーケースが、前記本体部のほぼ中央部を前後方向に貫通する開口を有する、ところの請求項１のヘッドレスト。
【発明の詳細な説明】
【０００１】
【発明の属する分野】
本発明は、自動車等の各種車両用、事務用、診察用又は家具用の座席の背もたれに装着するヘッドレストに関するものである。
【０００２】
【従来の技術】
ヘッドレストの傾斜を可能とする角度調節機構を備えた従来のヘッドレストは、ヘッドレストを座席に装着する下方に伸長する脚部を有する脚部フレームと、前後方向へ傾斜可能に脚部フレームの上部に取り付けた頭部フレームとを有し、脚部フレームに関する頭部フレームの前後方向への傾斜角度を調節する角度調節機構を備えたステーフレーム組立体、頭部フレーム及び角度調節機構を収容する略箱形の本体部を有するインナーケース、ヘッドレストの輪郭形状のほぼ箱形の表皮、及びインナーケースの本体部を包み込むように表皮の内部で発泡原液を発泡させ表皮と一体発泡成形した発泡体（パッド）から構成される（例えば、特許文献１を参照）。
【０００３】
【特許文献１】
特開２０００−８３７５７号公報（段落００１１）
【０００４】
【発明の解決しようとする課題】
しかし、このような従来の角度調節機構付きのヘッドレストでは、使用者（特に、助手席や後部座席を使用する者）の頭部をヘッドレストに乗せ、ヘッドレストを前方へ傾けると、ヘッドレストが頭部を押え付けているような違和感を使用者に与え、またヘッドレストを後方へ傾けると、顔が天井の方向に向き、頭部を極端に後方へ曲げているような違和感を使用者に与え、使用者の頭部を心地よくヘッドレストで支えることができない。
【０００５】
このため、各種車両用、事務用、診察用又は家具用の座席の背もたれに装着するヘッドレストの分野において、使用者の頭部を心地よく支えることのできるヘッドレストの開発が課題となっている。
【０００６】
したがって、本発明の目的は、ヘッドレストを前後方向にスライドできるようにした新規なヘッドレストを提供することである。
【０００７】
【課題を解決するための手段】
上記目的を達成する本発明のヘッドレストは、ヘッドレストの骨格となるステーフレーム組立体が、ヘッドレストを座席に装着する下方に伸長する左右の脚部を有する脚部フレーム、ヘッドレストの上方の骨格となる頭部フレーム、及び頭部フレームを脚部フレームの上部に前後方向へ移動可能に連結するための頭脚連結機構から構成される。
【０００８】
頭部フレームは、左右に長い頭部横ビーム、及びこの頭部横ビームの左右側にそれぞれ向き合うように固定される頭部側ブラケットから構成される。また、脚部フレームは、左右の脚部のそれぞれを左右に固定した左右に長い脚部横ビーム、及びこの脚部横ビームの左右側にそれぞれ向き合うように固定した脚部側ブラケットから構成される。
【０００９】
そして、上記の頭脚連結機構は、頭部フレームの頭部側ブラケット、脚部フレームの脚部側ブラケット、及び頭部側ブラケットと、脚部側ブラケットとを連結する左右の平行リンクから構成され、これら左右の平行リンクのそれぞれは、頭部側ブラケットと脚部側ブラケットとを連結する前側リンク部材、及び頭部側ブラケットと脚部側ブラケットとを連結する後側リンク部材から構成される。
【００１０】
本発明のヘッドレストは、頭部フレーム及び上記の頭脚連結機構を収容するインナーケースを有する。
【００１１】
インナーケースは、頭部フレーム及び上記の頭脚連結機構を収容する略箱形の本体部、及びこの本体部の底面との間に隙間を残すように本体部の底面に結合され、本体部の内部に連通する前後に長いスロットを左右に形成したプレート部から構成される。ここで、脚部フレームの脚部の各々は、プレート部を介して本体部の内部とインナーケースの外部との間を連通するスロットの各々を挿通してインナーケースの外部へ伸長する。
【００１２】
本発明のヘッドレストは、インナーケースの本体部とステーフレーム組立体の頭部フレームとを一体的に連結するための手段を有し、脚部フレームに関する頭部フレームの前後方向の傾きを変えると、インナーケースが頭部フレームと一体となって、脚部フレームに関するインナーケースの前後方向の傾きが変わる。
【００１３】
ここで、本発明のヘッドレストでは、頭部側ブラケット及び脚部側ブラケットのうち少なくとも一方のブラケットが、このブラケットの後側に、平行リンクの後側リンク部材の後方への移動を制限するための後側移動制限手段を有し、このブラケットの前側に、平行リンクの前側リンク部材の前方への移動を制限するための前側移動制限手段を有し得る。
【００１４】
そして、本発明のヘッドレストでは、前側リンク部材及び後側リンク部材が、頭部側ブラケットと脚部側ブラケットに、断頭円錐状のウォッシャを介してボルト締めすることにより、それぞれ枢動可能に取り付けられる。
【００１５】
また、本発明のヘッドレストでは、ステーフレーム組立体の歪みを防止するため、上記の頭脚連結機構は、前記左右の平行リンクの前側リンク部材及び後側リンク部材のうちの少なくとも一方の左右のリンク部材同士を連結するためのリンク部材連結手段からさらに構成され得る。
【００１６】
上記の本発明のヘッドレストは、中空の内部、及びこの中空の内部に連通する開口を有する、当該ヘッドレストの輪郭形状の表皮、及びインナーケースの本体部を包み込むように表皮の内部で発泡原液を発泡させて、表皮と一体となるように成形したパッドを有する。ここで、インナーケースの本体部の底面とプレート部との間の隙間に挿着した表皮の開口の周縁部分が、パッドにより、この隙間内に保持される。
【００１７】
上記本発明のヘッドレストはシースルー型のヘッドレストであってもよく、この場合、表皮とインナーケースは、それぞれ、それらのほぼ中央部を前後に貫通する開口を含む。
【００１８】
【発明の実施の形態】
＜ヘッドレスト＞  図３及び５に示すように、本発明に従ったヘッドレスト１０は、ヘッドレスト１０の骨格となるステーフレーム組立体２０を有する。
【００１９】
ステーフレーム組立体２０は、ヘッドレスト１０を座席に装着する下方に伸長する左右の脚部２３、２４を有する脚部フレーム２２、及び前後方向へ移動可能に脚部フレーム２２の上部に連結した頭部フレーム２１から構成される。
【００２０】
脚部フレーム２２は、左右の脚部２３、２４のそれぞれを左右に固定した左右に長い脚部横ビーム２６、及びこの脚部横ビーム２６の左右側にそれぞれ向き合うように固定した脚部側ブラケット３２から構成される。
【００２１】
また、頭部フレーム２１は、左右に長い頭部横ビーム２５、及びこの頭部横ビーム２５の左右側にそれぞれ向き合うように固定される頭部側ブラケット３１から構成される。
【００２２】
ステーフレーム組立体２０は、頭部フレーム２１を脚部フレーム２２の上部に前後方向へ移動可能に連結するため、脚部フレーム２２に関して頭部フレーム２１を前後方向に移動させることができるように、脚部フレーム２２と頭部フレーム２１とを連結するための頭脚連結機構３０からさらに構成される。
【００２３】
この頭脚連結機構３０は、頭部フレーム２１の頭部側ブラケット３１、脚部フレーム２２の脚部側ブラケット３２、及び頭部側ブラケット３１と、脚部側ブラケット３２とを連結する左右の平行リンク４０から構成される。
【００２４】
これら左右の平行リンク４０のそれぞれは、頭部側ブラケット３１と脚部側ブラケット３２とを連結する前側リンク部材４１、及び頭部側ブラケット３１と脚部側ブラケット３２とを連結する後側リンク部材４２から構成される。
【００２５】
頭部側ブラケット３１及び脚部側ブラケット３２のうちの少なくとも一方のブラケットが、このブラケットの後側に、平行リンク４０の後側リンク部材４２の後方への移動を制限するための後側移動制限手段を有し、このブラケットの前側に、平行リンク４０の前側リンク部材４１の前方への移動を制限するための前側移動制限手段を有し得る。好適に、前側移動制限手段は、図３、５、８及び９に示すように、脚部側ブラケット３２の前側に形成されたフランジ３３（図８を参照）であり、後側移動制限手段は、脚部側ブラケット３２の後側に形成されたフランジ３３（図９を参照）である。
【００２６】
そして、本発明のヘッドレスト１０では、前側リンク部材４１及び後側リンク部材４２が、図３及び５に示すように、頭部側ブラケット３１と脚部側ブラケット３２にそれぞれ固定したナット３６に、断頭円錐状のウォッシャ３５を介してボルト３４で締めつけることにより、それぞれ枢動可能に取り付けられる。
【００２７】
また、本発明のヘッドレスト１０では、ステーフレーム組立体２０の歪みを防止するため、上記の頭脚連結機構３０は、左右の平行リンク４０の前側リンク部材４１及び後側リンク部材４２のうちの少なくとも一方の左右のリンク部材同士を連結するためのリンク部材連結手段からさらに構成され得る。このリンク部材連結手段により、脚部フレーム２２に関して頭部フレーム２１及び頭部側の左側及び右側ブラケット３１を前後方向に移動させたときに、頭部側の左側ブラケット３１の移動方向及び距離と、頭部側の右側ブラケット３１の移動方向及び距離とが一致し、ステーフレーム組立体２０の歪みが防止される。好適に、リンク部材連結手段は、図３、５、８及び９に示すように、左右の平行リンク４０の前側リンク部材４１のそれぞれに固定され、これら左右の前側リンク部材４１同士を連結する連結棒４３である。
【００２８】
本発明のヘッドレスト１０は、頭部フレーム２１及び上記の頭脚連結機構３０を収容するインナーケース５０を有する。
【００２９】
インナーケース５０は、頭部フレーム２１及び上記の頭脚連結機構３０を収容する略箱形の本体部５３、及びこの本体部５３の底面との間に隙間５５を残すように本体部５３の底面に結合され、本体部５３の内部に連通する前後に長いスロット５６を左右に形成したプレート部５４から構成される。本体部５３の底面とプレート部５４は、スロット５６の開口を形成する隔壁により結合される。ここで、脚部フレーム２２の脚部２３、２４の各々は、プレート部５４を介して本体部５３の内部とインナーケース５０の外部との間を連通するスロット５６の各々を挿通してインナーケース５０の外部へ伸長する。
【００３０】
インナーケース５０は、好適に、図１〜９に示すように、フロント部分５１（又は第一の部分）、及びリア部分５２（又は第二の部分）という二つの部分から構成される。
【００３１】
図示のように、フロント部分５１は、インナーケース５０の本体部５３の前側部分、及びこの前側部分の底面に上記した隙間５５を残して結合したプレート部５４から構成される。また、リア部分５２は、本体部５３の後側部分から構成され、フロント部分５１の周縁とリア部分５２の周縁とを嵌合させることにより、ステーフレーム組立体２０の頭部フレーム２１及び頭脚連結機構３０を液密に収容できるインナーケース５０の本体部５３の内部が形成されるようになっている。
【００３２】
このような嵌合は、一方の周縁溝に他方の周縁突起を差し込み、両者をラッチ５８にて掛け締めることによって行われ、両者は確実すなわち液密に嵌合される。
【００３３】
すなわち、図に示すように、インナーケース５０の本体部５３の左右及び上部は、リア部分５２の左右及び上部の周縁に設けた周縁突起をフロント部分５１の左右及び上部の周縁に設けた周縁溝に差し込み、左右及び上部の周縁に設けたラッチ５８で両者を掛け締めることにより、液密に嵌合される。
【００３４】
また、フロント部分５１には、そのほぼ中央に、フロント部分５１のほぼ中央部を前後方向に貫通する矩形形状の開口５９が設けられ、この開口５９の内側の周縁には周縁溝が設けている。また、リア部分５２には、そのほぼ中央に、リア部分５２のほぼ中央部を前後方向に貫通する矩形形状の開口５９が設けられ、この開口５９の周縁には周縁突起が設けられており、この周縁突起を開口５９の周縁溝に差し込み、ラッチ５８で掛け締めることにより、フロント部分５１の開口５９とリア部分５２の開口５９が液密に嵌合され、インナーケース５０の本体部５３のほぼ中央部を前後方向に貫通する矩形形状の開口５９が形成される。このようにフロント部分５１とリア部分５２とを嵌合させることによりインナーケース５０の本体部５３を前後方向に貫通するように開口５９が形成され、この開口５９により、後述するように発泡原液をインナーケース５０の本体部５３と表皮６０との間に注入されたときに、注入した発泡原液が本体部５３を効率よく包み込み、発泡後のパッド６１に空洞を発生させず、しかも本体部５３に絡むようにパッド６１が形成される。
【００３５】
図に示すように、プレート部５４には、フロント部分５１の内側に連通する二つのスロット５６が形成される。脚部フレーム２２の脚部２３、２４は、図に示すように、これらスロット５６を挿通してフロント部分５１の外部へ伸長される。そして、頭部フレーム２１及び上記の頭脚連結機構３０の正面側が、このフロント部分５１の内側に配置される。このように頭部フレーム２１及び頭脚連結機構３０の正面側を配置したフロント部分５１にリア部分５２を上述したように液密に嵌合することにより、頭部フレーム２１及び頭脚連結機構３０がインナーケース５０の本体部５３の内部に収容される。
【００３６】
本発明のヘッドレスト１０は、インナーケース５０の本体部５３とステーフレーム組立体２０の頭部フレーム２１とを一体的に連結するための手段を有する。
【００３７】
この手段は、図３、５、８及び９に示すように、頭部側ブラケット３１の前側と後側に形成したフランジに設けた穴を通じて、インナーケース５０の本体部５３のフロント部分５１及びリア部分５２をそれぞれボルトで締めつけることにより固定するものであり得る。
【００３８】
このように、インナーケース５０の本体部５３とステーフレーム組立体２０とが一体的に連結されているので、脚部フレーム２２に関して頭部フレーム２１を前後方向に移動させると、インナーケース５０が、頭部フレーム２１と一体となって、脚部フレーム２２に関して前後方向に移動する。ここで、インナーケース５０と頭部フレーム２１とが一体となって脚部フレーム２２に関して前後方向に移動できるように、プレート部５４に形成したスロット５６の形状は、前後方向に長い略楕円の形状にある。
【００３９】
インナーケース５０の外部に露出する中央後方部には、プレート部５４との間の隙間５５に連通する複数の窓が形成され、さらに、プレート部５４へ貫通する発泡原液注入口５７がこの中央後方部に貫通形成されている。
【００４０】
表皮６０（図２〜９に破線で示す）は、何枚かの表皮材料片をヘッドレスト１０の最終的な所望とする輪郭に見合った略箱形に縫製したものである。その縫い代は外観上の理由で表に出さないで内部に隠す必要があり、そのため、縫い合わせのときは表皮材料片の裏面側が表になった状態で縫い合わせ、その後反転させて表面側を表に出すようにする。この反転を可能にするため、略箱形に縫製される表皮６０には、ヘッドレスト１０の底面に相当する部分に開口が形成される。この開口は、ステーフレーム組立体２０を収容したインナーケース５０５０を挿入するための開口としても利用される。（ここで、ヘッドレスト１０がシースルー型であるとき、表皮６０は、図２〜７に破線で示すように、ヘッドレスト１０のシースルー部に相当する個所に開口を有する。この場合は、前側と後側の二枚の表皮材料片をインナーケース５０に配置した後に、表皮６０の外周部分と中央の開口部分（開口５９に相当する部分）とを縫製する。）
【００４１】
すなわち、表皮６０は、中空の内部、及びこの中空の内部に連通し且つヘッドレスト１０の底面に相当する部分に形成した左右に伸長する開口（図示せず）を有する。表皮６０の開口の周縁部分は、後述するように、インナーケース５０の本体部５３の底面とプレート部５４との間の隙間５５内に挿着される。このとき、本体部５３と表皮６０との間で発泡原液を発泡させたときに表皮６０の開口の周縁部分に局部的な引張力を作用させることがなく、この開口の周縁部分が表皮６０全体の膨らもうとするのを許容するように自由に動けるように、表皮６０の開口の周縁部分はこの隙間５５で軽く保持される。
【００４２】
＜製造方法＞  ヘッドレスト１０の製造は、まず、ステーフレーム組立体２０の左右の脚部２３、２４をインナーケース５０５０のフロント部分５１のスロット５６を通じて外部に伸長させ、頭部フレーム２１と脚部フレーム２２をフロント部分５１に挿入し、固定し、その後、リア部分５２をこのフロント部分５１に嵌合し、リア部分５２の穴を通じて、リア部分５２をステーフレーム組立体２０にボルトで固定する。
【００４３】
次に、ヘッドレスト１０の前側と後側の外形輪郭形状のほぼ箱形の表皮６０で、インナーケース５０の本体部５３を包み込む。（シースルー型のヘッドレストを製造する場合、表皮６０は、図２〜７に破線で示すように、ヘッドレスト１０のシースルー部に相当する個所に開口を有する。そして、表皮６０の前側と後側の二枚の表皮材料片をインナーケース５０に配置した後に、表皮６０の外周部分と中央の開口部分（開口５９に相当する部分）とを縫製し、表皮６０でインナーケース５０の本体部５３を包み込む。）そして、表皮６０の低部の開口の周縁部分は、インナーケース５０の本体部５３の底面とプレート部５４との間の隙間５５内に挿着される。
【００４４】
次に、発泡原液注入ノズル（図示せず）を注入口５７に差し込み、ヘッドレスト１０の輪郭形状に一致する内部を有する成形型内へ配置し、成形型を型締めし、表皮６０とインナーケース５０の本体部５３との間に、発泡原液注入口５７を通じて発泡原液を注入し、これを発泡、硬化させる。この際、発泡原液は、インナーケース５０の本体部５３の底面とプレート部５４との間の隙間５５内に入っている表皮６０の開口の周縁部分に含浸し硬化するので、発泡後は、この隙間５５内に表皮６０の開口の周縁部分が強力に保持され、この開口が完全に閉じきられる。
【００４５】
最後に、発泡体と一体的に成形した表皮６０を成形型から取り出して、ヘッドレスト１０が製造される。
【００４６】
【発明の効果】
本発明が以上のように構成されるので、座席に装着したヘッドレストを前後方向にスライドでき、使用者の頭部を心地よく支えることができる、という効果を奏する。
【図面の簡単な説明】
【図１】図１は、ステーフレーム組立体を収容したインナーケースの後方側からみた斜視図である。
【図２】図２は、図１のインナーケースのリア部分を示す。
【図３】図３は、図２のインナーケースのリア部分を取り除いたときの、フロント部分に収容されるステーフレーム組立体を示す。
【図４】図４は、図１のインナーケースのフロント部分を示す。
【図５】図５は、図４のインナーケースのフロント部分を取り除いたときの、リア部分に収容されるステーフレーム組立体を示す。
【図６】図６は、図１のインナーケースを下方からみたところを示す。
【図７】図７は、図１のインナーケースを上方からみたところを示す。
【図８】図８は、図３及び５のＡＡ線断面図であり、本発明のヘッドレストを、その脚部に関して前方に移動させたところを示す。
【図９】図９は、図３及び５のＡＡ線断面図であり、本発明のヘッドレストを、その脚部に関して後方に移動させたところを示す。
【符号の説明】
１０・・・ヘッドレスト
２０・・・ステーフレーム組立体
２１・・・頭部フレーム
２２・・・脚部フレーム
２３・・・左側の脚部
２４・・・右側の脚部
２５・・・頭部横ビーム
２６・・・脚部横ビーム
３０・・・頭脚連結機構
３１・・・頭部側ブラケット
３２・・・脚部側ブラケット
３３・・・フランジ
３４・・・ボルト
３５・・・ウォッシャ
３６・・・ナット
３７・・・フランジ
３８・・・穴
３９・・・ボルト
４０・・・平行リンク
４１・・・前側リンク部材
４２・・・後側リンク部材
４３・・・連結棒
５０・・・インナーケース
５１・・・フロント部分
５２・・・リア部分
５３・・・本体部
５４・・・プレート部
５５・・・隙間
５６・・・スロット
５７・・・発泡原液注入口
５８・・・ラッチ
５９・・・開口
６０・・・表皮
６１・・・パッド
【図１】
2004283287.tif 000003
【図２】
2004283287.tif 000004
【図３】
2004283287.tif 000005
【図４】
2004283287.tif 000006
【図５】
2004283287.tif 000007
【図６】
2004283287.tif 000008
【図７】
2004283287.tif 000009
【図８】
2004283287.tif 000010
【図９】
2004283287.tif 000011